(57)【要約】【課題】ハンガー掛けに掛けられた複数の衣服用ハンガーを一まとめにしてカバーする衣服保護用カバーにおいて着脱を容易にする。【解決手段】  衣服保護用カバー１は、収納空間の主要部分を形成するボディ部２と、上部辺４においてボディ部２に連結された上開きのドア部３とから成る。ドア部３の上部辺４寄りの部位が前記収納空間の屋根部位５を成し、該屋根部位５を成す部分で該ドア部３が前記ハンガー掛けの上から掛けられる。これにより、衣服保護用カバー１がハンガー掛け１０に取り付けられる。ドア部３の開放辺６に沿ってドア部３をボディ部２に開閉自在に止めるための開閉部材７が設けられている。【選択図】  図１
0003116322.tif 000002
【実用新案登録請求の範囲】
【請求項１】
ハンガー掛けに掛けられた複数の衣服用ハンガーを一まとめにしてカバーする衣服保護用カバーであって、
収納空間の主要部分を形成するボディ部と、
上部辺において前記ボディ部に連結された上開きのドア部であって、該ドア部の上部辺寄りの部位が前記収納空間の屋根部位を成し、該屋根部位を成す部分で該ドア部が前記ハンガー掛けの上から掛けられるようにしてなるものと、
前記ドア部の開放辺を前記ボディ部に開閉自在に止めるための開閉部材と
で構成される衣服保護用カバー。
【請求項２】
前記ボディ部は収納空間の屋根部位に相当する上部から一方の側部にかけて開口を有するものであり、前記ドア部は、その上部辺において前記開口の上縁に連なり、該開口全体を閉じうるものであることを特徴とする請求項１に記載の衣服保護用カバー。
【請求項３】
前記ボディ部と前記ドア部は、衣服保護用カバーをドア部の上部辺に沿う向きで２分割した各部分によって構成され、何れか一方の部分が他方に対して相対的に上開きされうるドア部として機能し、他方が収納空間の主要部分を形成するボディ部として機能することを特徴とする請求項１に記載の衣服保護用カバー。
【考案の詳細な説明】
【技術分野】
【０００１】
この考案はハンガー掛けに掛けられた複数の衣服用ハンガーを一まとめにしてカバーする衣服保護用カバーに関する。
【背景技術】
【０００２】
従来から、ハンガーに掛けた衣服を覆うための衣服保護用カバーが広く知られている。衣服保護用カバーは、クローゼット内等に衣服を収納する際の埃避けや、衣服移送時の保護カバーとして機能するものであって、一般には、ハンガーに掛けられた衣服全体を被覆しうるサイズに形成され、上端部にハンガーのフック部を当該カバーの外側に突出せしめる開口部を有している。
また、可搬性のハンガー吊り下げ棒（棒状のハンガー掛け）に吊り下げた複数のハンガー及び各ハンガーに掛けられた衣服を覆うためのカバーとして、ハンガー掛けとそこに掛けられたハンガー及び衣服とを一括して被覆するカバーがあった（例えば、下記特許文献１等を参照）。
【特許文献１】実用新案登録第３０９０９３３号公報
【０００３】
また、ハンガー掛けと、そこに掛けられた複数のハンガーとを一まとめにカバーするものとしては、従来から所謂ファンシーケースと称される衣服収納ケースがある。これは、軽量且つ安価な衣服収納具として利用されるものであって、カバーを枠体（ハンガー掛け等）から着脱する仕様ではない。
また、上記特許文献１に開示されたタイプの衣服カバー、すなわち、ハンガー吊り下げ棒とそこに掛けられた衣服とを一括して被覆するタイプのカバーは衣類搬送時の保護を主な目的としたものであったため、カバーの着脱作業の操作性や衣服の出し入れ等の便宜については不十分であった。例えば、上記特許文献１に開示されたものは、カバー取り付けに際して、カバー体が平面状に展開された状態から組み立てなければならない。
【考案の開示】
【考案が解決しようとする課題】
【０００４】
この考案は、上述の点に鑑みてなされたもので、ハンガー吊り下げ棒とそこに掛けられた衣服とを一括して被覆する衣服カバーであって、該衣服カバーの取り付け及び取り外しが容易なものを提供することを目的とする。
【課題を解決するための手段】
【０００５】
この考案は、ハンガー掛けに掛けられた複数の衣服用ハンガーを一まとめにしてカバーする衣服保護用カバーであって、収納空間の主要部分を形成するボディ部と、上部辺において前記ボディ部に連結された上開きのドア部であって、該ドア部の上部辺寄りの部位が前記収納空間の屋根部位を成し、該屋根部位を成す部分で該ドア部が前記ハンガーバーの上から掛けられるようにしてなるものと、前記ドア部の開放辺を前記ボディ部に開閉自在に止めるための開閉部材とで構成される衣服保護用カバーである。
【考案の効果】
【０００６】
この考案によれば、ハンガー掛けに掛けられた複数の衣服用ハンガーを一まとめにしてカバーする衣服保護用カバーが、収納空間の主要部分を形成するボディ部と、上部辺において前記ボディ部に連結された上開きのドア部であって、該ドア部の上部辺寄りの部位が前記収納空間の屋根部位を成し、該屋根部位を成す部分で該ドア部が前記ハンガーバーの上から掛けられるようにしてなるものと、前記ドア部の開放辺を前記ボディ部に開閉自在に止めるための開閉部材とから構成されることから、ボディ部を予め所定の形状に成形して置くことができるので、煩雑な組立手間などがなく、衣服保護用カバーの着脱作業がドア部の開閉だけで行なえる。従って、その着脱作業が極めて簡易に行なえるようになるという優れた効果を奏する。この種の衣服保護用カバーにおいて着脱作業性を向上させることで、例えば、衣服展示販売会場など衣服保護用カバーの着脱が頻繁な場合において、衣服の保護とカバー着脱の簡易さが両立され、極めて有利である。
【考案を実施するための最良の形態】
【０００７】
以下、添付図面を参照してこの考案の実施の形態の一例を詳細に説明する。
図１は、この実施例に係る衣服保護用カバー１をハンガー掛け１０に取り付けた状態を示す斜視図である。また、図２（ａ）は衣服保護用カバー１を図１の矢印Ａから見た正面図であり、（ｂ）はカバー１を図１の矢印Ｂから見た背面図である。図１及び図２において、ハンガー掛け１０は、複数個のハンガーを吊り下げうる棒状の部材であって、例えばキャスター付きの衣服搬送具や洋服ダンス等に具備されるものである。衣服保護用カバー１は、大別して衣服収納空間の主要部分を形成するボディ部２と、該ボディ部２の上側縁部に連結されたドア部３から構成される。ドア部３はその上辺部４（図２（ｂ）参照）においてボディ部２の上側縁部に連結されており、ボディ部２との連結部分を成す上部辺４を支点（ヒンジ）としてボディ部２に対して上開きに開閉可能である。なお、図１及び図２においてはドア部３が閉じた状態を示している。
【０００８】
ボディ部２は全体として箱型に形成されており、その内部が衣服を収納するための収納空間となる。また、ボディ部２の上側から図面手前側の側面にわたり、開口部８（後述の図３参照）が設けられている。ドア部３はこの開口部８に適合する形状、すなわち、開口部８を閉鎖しうる形状に形成される。
【０００９】
符号５で示すドア部３の上部辺４寄りの部分は、収納空間（ボディ部２の上部）に対する屋根部位になっている。図１及び図２に示す通り、屋根部位５において該ドア部３をハンガー掛け１０の上から掛けることで、ボディ部２がハンガー掛け１０に吊り下げた状態で支持される。これにより衣服保護用カバー１はハンガー掛け１０に取り付けられる。従って、衣服保護用カバー１は、ハンガー掛け１０と該ハンガー掛け１０に掛けられた複数の衣服用ハンガーを一まとめにしてカバーすることができる。
また、ドア部３の前記上部辺４（ボディ部２に連らなる部分）を除く三辺の開放辺６に沿って、ドア部３をボディ部２に開閉自在に止めるための開閉部材７が設けられている。この実施例では一例として開閉部材７は例えばジッパー式ファスナーで構成されるものとする。開閉部材７として適用されるファスナーは、三辺の開放辺６のうち図２（ａ）において左右両辺の上側から下に向けてファスナーヘッドを下ろすことでドア部３を閉じるものとする。閉じたドア部３に鍵を掛けることができるよう構成し、衣服保護用カバー１に防盗性を付与してもよい。例えば、左右両側のファスナーヘッドを当接させた状態で、両者を閂式の鍵（所謂南京錠）等の適宜の手段により係止することで、ドア部３に鍵を掛けることができる。ドア部３に鍵をかけることでカバー１内に収納した衣服の盗難を防止できると同時に、衣服保護用カバー１自体をハンガー掛け１０から取り外すことも防止できる。
なお、開閉部材７は、ジッパー式ファスナーに限らずボタン、ホックや、繰り返し着脱可能な接着テープ類（所謂マジックテープ（ＴＭ）など）等、ドア部３をボディ部２に開閉自在に止めることができる部材であれば公知のいかなる手段を用いても良い。また、開放辺６の全周に配設されるものに限らず、１乃至数点の要部でドア部３をボディ部２を締結するようなものであってもよく、また、そのような開閉部材７を鍵機構で構成してもよい。
【００１０】
ボディ部２は、ハンガー掛け１０に吊り下げられた状態で該ハンガー掛け１０の軸に略直交する短辺が一般的なハンガーの肩幅よりも大きくなるよう形成されており、該短辺に略平行な向きでハンガー掛け１０に掛けられたハンガーをカバーすることができる。また、ボディ部２は、ハンガー掛け１０に掛けられたハンガーを、ハンガー掛け１０の軸に平行なボディ部２の長辺の長さの範囲にわたりカバーできる。従って、収納空間内に複数個のハンガーを収納しうることが容易に理解される。このように、衣服保護用カバー１によって、ハンガー掛け１０とそこに掛けられた複数のハンガーを一まとめにカバーすることで、衣服保護用カバー１の収納空間内への埃類の侵入を十分に防止して、内部に収納された衣服を保護できる。また、可搬性のハンガー掛け１０に衣服保護用カバー１を取り付けた場合には移送時の保護カバーとしても機能する。
【００１１】
図３は図１と同様な斜視図であって、（ａ）は衣服保護用カバー１のドア部３を途中まで開けた状態、同図（ｂ）はドア部３を開放した状態を示している。図３（ａ）では、ドア部３の屋根部位５がハンガー掛け１０の上側から掛けられた状態が解かれていないので、衣服保護用カバー１をハンガー掛け１０に取り付けたまま、ボディ部２内に収納されたハンガーＨ乃至該ハンガーＨに掛けられた衣服を出し入れすることができる。
ハンガー掛け１０から衣服保護用カバー１を取り外すときには、（ｂ）に示すように、ドア部３を開け放つだけで、ハンガー掛け１０からカバー１を取り外すことができ、また、カバー１内の衣服を表に出すことができることができる。また、衣服保護用カバー１をハンガー掛け１０に取り付けるときには、（ｂ）に示すように開放されたドア部３の屋根部位５をハンガー掛け１０の上から掛けて、ドア部３を下に閉じるだけでよい。ボディ部２は、取り外された状態でも箱型の形状に成形されたままなので、煩雑な組立手間などが不要であり、衣服保護用カバー１の取り付け作業は実質的にはドア部３を閉じるだけである。このように、この実施例に係る衣服保護用カバー１は着脱作業が極めて簡便である。また、ドア部３を閉じる作業は、衣服保護用カバー１の取り付けと同時に該カバー１の収納空間に封する作業も兼ねているので、作業行程が軽減されるという効果もある。
【００１２】
図４（ａ）〜（ｃ）は、この考案に係る衣服保護用カバーの別の構成例を示す斜視図であって、（ａ）はドア部を閉じた状態、（ｂ）はドア部の閉鎖を解いて少し開けた状態、（ｃ）はドア部を開け放った状態である。図４（ａ）〜（ｃ）において、衣服保護用カバー１１は、棒状のハンガー掛け１０に沿う中央の部分を境に衣服保護用カバー１１が２つの部分に分割され、一方がボディ部１２、他方がドア部１３として機能する。この構成においても、ボディ部１２とドア部１３とは屋根部位及び上部辺１４を介して一体的に連なっており、該上部辺１４を支点（ヒンジ）としてドア部１３はボディ部１２に対して上開きに開閉自在となる。また、ドア部１３の前記上部辺１４（ボディ部１２に連なる部分）を除く三辺の開放辺に沿って、ドア部１３をボディ部１２に開閉自在に止める開閉部材１７が設けられてよい。図４の例では、上記図１〜図３のものとは異なり、収納空間はボディ部１２とドア部１３の双方により形成されている。この構成では、ボディ部１２が担う収納空間の容積自体はドア部１３のそれと同等であるため、ボディ部１２は物理的には収納空間の主要な部分（大半）を占めていない。しかし、上開きのドア部１３によってに開閉される収納空間としてボディ部１２が常に機能している点において、ボディ部１２が収納空間の主要部分を成していることに相違ない。
【００１３】
なお、衣服保護用カバー１は、例えば不織布等、軽量で折り畳み可能なシート状の素材を用いて構成し、不使用時には折り畳んで小さくできるようにするとよい。また、ボディ部２の箱型の枠組みを針金等で形成してもよい。その場合にも、枠組みを適宜折り畳み可能に構成して不使用時には衣服保護用カバー１を折り畳めるようにするとよい。なお、衣服保護用カバー１の材質は、上記に限らず台紙その他適宜の素材を適用しても差し支えない。
また、上記何れの実施例においても、衣服保護用カバー１が底面から立ち上がる４つの側面を含む箱型の形状のものを示したが、衣服保護用カバー１の形状はこれに限らず、ハンガー掛けに掛けられた複数の衣服用ハンガーを一まとめにしてカバーすることができれば、袋状その他適宜の形状であってもよい。
【００１４】
以上説明した通り、この考案によれば、ハンガー掛け１０に掛けられた複数の衣服用ハンガーを一まとめにしてカバーする衣服保護用カバー１又は１１のハンガー掛け１０に対する着脱作業を極めて簡易に行なえるようになるという優れた効果を奏する。この種の衣服保護用カバー１又は１１において着脱作業性を向上させることで、例えば、衣服展示販売会場など衣服保護用カバー１又は１１の着脱が頻繁な場合において、衣服の保護とカバー着脱の簡易さが両立され、極めて有利である。
【図面の簡単な説明】
【００１５】
【図１】この考案の一実施例に係る衣服保護用カバーの全体斜視図。
【図２】（ａ）は同実施例に係る衣服保護用カバーを図１の矢印Ａから見た正面図、（ｂ）は同図１の矢印Ｂから見た背面図。
【図３】同実施例に係る衣服保護用カバーの全体斜視図であって、（ａ）はドア部を途中まで開けた状態、（ｂ）はドア部を開け放った状態。
【図４】この考案の別の実施例に係る衣服保護用カバーの全体斜視図であって、（ａ）はドア部を閉じた状態、（ｂ）はドア部を途中まで開けた状態、（ｂ）はドア部を開け放った状態。
【符号の説明】
【００１６】
１，１１  衣服保護用カバー、２，１２  ボディ部、３，１３  ドア部、４，１４  上辺部、５  屋根部位、６  開放辺、７，１７  開閉部材、８  開口部、１０  ハンガー掛けＨ  ハンガー
【図１】
0003116322.tif 000003
【図２】
0003116322.tif 000004
【図３】
0003116322.tif 000005
【図４】
0003116322.tif 000006